(57)【要約】      （修正有）【課題】地震のような振動や衝撃が加えられても有孔レンガ等の有孔積層部材を積層させた積層体を倒壊しにくくする積層体倒壊防止具及びそれを使用した積層構造建造物を提供する。【解決手段】有孔積層部材４を積層させた積層体２と、該積層体の一端側の層の有孔積層体から他端側の層の有孔積層体までの各有孔積層部材の貫通孔内に設けた長尺状のダボ筋６と、前記積層体と共振防止に必要な所定の間隔を設けて配設させた支持体５と、を備えた積層構造建造物１に使用する、前記支持体と前記積層体とを連結する積層体倒壊防止具３であって、前記支持体側となる一端には前記支持体に固設させる固設部材を備え、前記積層体に固設される側は折り曲げ可能な棒状体を備えた積層体倒壊防止具を使用することにより課題解決できた。【選択図】図１
0003208740.tif 000002
【実用新案登録請求の範囲】
【請求項１】
有孔積層部材を積層させた積層体と、
該積層体の一端側の層の有孔積層体から他端側の層の有孔積層体までの各有孔積層部材の貫通孔内に設けた長尺状のダボ筋と、
前記積層体と共振防止に必要な所定の間隔を設けて配設させた支持体と、を備えた積層構造建造物に使用する、前記支持体と前記積層体とを連結する積層体倒壊防止具であって、
前記支持体側となる一端には前記支持体に固設させる固設部材を備え、前記積層体に固設される側は折り曲げ可能な棒状体を備えたことを特徴とする積層体倒壊防止具。
【請求項２】
請求項１に記載の積層体倒壊防止具が、一端側の前記固設部材を前記支持体に固設させて、前記積層体に固設される側を、前記積層体の倒壊防止支持に必要な所定の箇所に該当する有孔積層部材間に挟入させた状態でかつ前記ダボ筋の反支持体側に延設されるように略Ｌ字状に屈曲させた状態で前記積層体に固設されることを特徴とする積層構造建造物。
【考案の詳細な説明】
【技術分野】
【０００１】
本考案は、有孔レンガ、有孔石材又は有孔セメントブロックなどの有孔積層部材を積層させた塀や壁等の積層体の倒壊防止を実現する積層体倒壊防止具及びそれを使用する積層構造建造物に関する。
【背景技術】
【０００２】
レンガ等の積層体の補強技術としては、特許文献１には、並列して立設した支柱と、前記支柱を挿通する挿通孔を有し、前記挿通孔に前記支柱を挿通した状態で積層するレンガと、前記支柱に挿通した状態で、積層した前記レンガ間に配置するスペーサーと、からなり、前記挿通孔は、面内方向に長い楕円状であり、前記スペーサーは、円柱状であり前記挿通孔に内挿する本体と、前記本体の上端外周に設ける鍔部と、からなることを特徴とする、乾式レンガ構造が開示されている。
【０００３】
また、特許文献２には、折り曲げ可能な胴部と、胴部の先端のねじ部と、胴部の後端の異形部とから成り、胴部とねじ部の境界にストッパを装着し、かつねじ部に止水部材と、このストッパに背面を押されて止水部材の背面に押し付けられる押圧部材とを装着して成ることを特徴とするレンガ壁の構築用支持ピンが開示されている。
【先行技術文献】
【特許文献】
【０００４】
【特許文献１】実用新案登録第３１９７２７７号公報
【特許文献２】特許第３３８９５５２号公報
【考案の概要】
【考案が解決しようとする課題】
【０００５】
特許文献１の考案は、地震等の振動や衝撃を支柱が受けた場合には支柱が傾きやすく、支柱が傾くと耐震用のスペーサーがレンガの孔に嵌入させただけなのでスペーサーがはみ出やすく積層体が倒壊するという問題があった。
【０００６】
特許文献２の発明は、上下のレンガ間の目地材に埋め込んだ水平方向に平らな異形部によって積層体の倒壊防止を図るが、地震等により横方向の強い力が前記異形部近傍に加えられた場合には、目地材が破壊しやすく異形部と目地材とが解離して積層体が倒壊するという問題があった。
【０００７】
本考案はこうした問題に鑑み創案されたもので、地震のような振動や衝撃が加えられても有孔レンガ等の有孔積層部材を積層させた積層体を倒壊しにくくする積層体倒壊防止具及びそれを使用した積層構造建造物を提供することを課題とする。
【課題を解決するための手段】
【０００８】
請求項１に記載の積層体倒壊防止具３は、有孔積層部材４を積層させた積層体２と、該積層体２の一端側の層の有孔積層体４から他端側の層の有孔積層体４までの各有孔積層部材４の貫通孔１６内に設けた長尺状のダボ筋６と、前記積層体２と共振防止に必要な所定の間隔を設けて配設させた支持体５とを備えた積層構造建造物１に使用する、前記支持体５と前記積層体２とを連結する積層体倒壊防止具３であって、前記支持体５側となる一端には前記支持体５に固設させる固設部材１１を備え、前記積層体２に固設される側は折り曲げ可能な棒状体１０を備えたことを特徴とする。
【０００９】
請求項２に記載の積層構造建造物１は、請求項１に記載の積層体倒壊防止具３が、一端側の前記固設部材１１を前記支持体５に固設させて、前記積層体２に固設される側を、前記積層体２の倒壊防止支持に必要な所定の箇所に該当する有孔積層部材４間に挟入させた状態でかつ前記ダボ筋６の反支持体５側に延設されるように略Ｌ字状に屈曲させた状態で前記積層体２に固設されることを特徴とする。
【考案の効果】
【００１０】
請求項１に記載の積層体倒壊防止具３は、前記支持体５に固設されて前記ダボ筋６の傾きを阻止するので、地震などの強い揺れや振動が発生しても積層体２の倒壊が阻止され積層構造建造物１が倒壊しにくいという効果を奏する。
【００１１】
前記積層体倒壊防止具３を取り付ける、積層体２と支持体５との間に共振防止に必要な所定の間隔を設けているので、例えば地震発生時においても積層体２と支持体５との共振が発生し難く、積層構造建造物１が倒壊し難いという効果を奏する。
【００１２】
請求項２に記載の積層構造建造物１は、塀、窓やアーチ等の積層構造建造物１の工事現場において積層体倒壊防止具３を現場合わせで一端側を支持体５に固設した後に、他端側を、ダボ筋６の反支持体５側に延設されるように略９０°に略Ｌ字形に屈曲させやすいため、工事が容易に実施できるという効果を奏する。そのため現場合わせに適し、現場作業者が使いやすいという効果を奏する。あらかじめＬ字形の屈曲部を形成した積層体倒壊防止具３を現場に搬入すると、積層体２と支持体５との間隔がばらついた場合にダボ筋６の反支持体５側に延設されるように配設すると支持体５に積層体倒壊防止具３を当接させて固定させることができないというトラブルが生ずる。
【図面の簡単な説明】
【００１３】
【図１】有孔積層体を積層途中の本考案の積層構造建造物の側面視で積層体の部分を縦断面で説明する説明図である。
【図２】有孔積層体を積層途中の本考案の積層構造建造物の正面視の概要図である。
【図３】本考案の積層体倒壊防止具の図で、（ａ）は平面図で、（ｂ）は右側面図で、（ｃ）は正面図である。
【図４】積層体倒壊防止具の棒状体を屈曲させた状態を示す説明図である。
【図５】積層体に積層体倒壊防止具を取り付ける状況を説明する説明図で、積層体倒壊防止具を取り付ける前の状態を示す説明図である。
【図６】積層体に積層体倒壊防止具を取り付ける状況を説明する説明図で、積層体倒壊防止具を支持体に固設した状態を示す説明図である。
【図７】積層体に積層体倒壊防止具を取り付ける状況を説明する説明図で、積層体倒壊防止具を、ダボ筋の反支持体側に延設するように屈曲させた状態を示す説明図である。
【図８】積層構造建造物が逆Ｕ字形のアーチを含む壁の場合の事例を示す正面視の概要図である。
【図９】積層構造建造物が円形の窓を含む壁の場合の事例を示す正面視の概要図である。
【考案を実施するための形態】
【００１４】
本考案の積層構造建造物１は、図１又は図２に示すように、有孔積層部材４を積層させた積層体２と、該積層体２の一端側の層の有孔積層体４から他端側の層の有孔積層体４までの各有孔積層部材４の貫通孔１６内に設けた長尺状のダボ筋６と、前記積層体２と共振防止に必要な所定の間隔を設けかつ前記有孔積層部材４の積層方向に沿って配設させた支持体５と、前記支持体５と前記積層体２とを連結する積層体倒壊防止具３とを備える。
【００１５】
前記積層体２は、有孔積層部材４を積層させた建造物であり、ダボ筋６が有孔積層部材４の貫通孔１６内に設けられるように有孔積層部材４を積層させており、前記積層体２の形態としては、例えば、図１や図２に示すように塀の形態、図８に示すように逆Ｕ字形のアーチを含む壁の形態、図９に示すように円形の窓を設けた壁の形態、囲い又は仕切り等がある。
【００１６】
前記有孔積層部材４は、少なくとも２か所の貫通孔１６を設けた有孔レンガ、花崗岩等の石材又はセメントブロックでもよく、少なくとも２か所の貫通孔１６を設け積層可能なブロック体であればよい。また、形体は直方体、立方体、円柱体又は多角形状体でよく積層可能な形体であればよい。
【００１７】
前記ダボ筋６は、有孔積層部材４の貫通孔１６に貫通させるために、積層体２が図１又は図２に示すような塀の形態の場合には積層体２の積層方向と同じ方向で地面に対して立設させ、積層体２が図８に示すようにアーチの形態であって逆Ｕ字形の形態の箇所には前記逆Ｕ字状の円弧状部位に沿って配設し、積層体２が図９に示すように円形の窓であって円形の形態の箇所には円状の縁に沿って配設する。前記アーチの部位や前記窓の部位以外の部位の壁の部位では、ダボ筋６は積層体２の積層方向と同じ方向で地面に対して立設させる。
【００１８】
前記ダボ筋６は、一端側を地面や床面に立設させる場合には一端側をモルタル７やコンクリート等で固定する。ダボ筋６の形態には、例えばダボ筋６を積層体２の一端側の最下層から他端側の最上層までの有孔積層部材４の貫通孔１６内に設ける形態には、第一に積層体２の一端側の最下層から他端側の最上層までの有孔積層部材４の貫通孔１６内を一本の長いダボ筋６で貫通させる形態、第二に積層体２の一端側の最下層から他端側の最上層までの有孔積層部材４の貫通孔１６内を複数の短いダボ筋６を締結や溶接などの連結により一本化させて貫通させる形態、第三に積層体２の一端側の最下層から他端側の最上層までの有孔積層部材４の貫通孔１６内を複数の短いダボ筋６を一本化せずに不連続の状態でそれぞれ貫通させる形態がある。前記ダボ筋６は、錆び難い材質又は防錆処理をした材質でつくられ、さらに衝撃に強いた棒材、パイプ、鉄筋などが好ましい。
【００１９】
前記支持体５は、積層体２と所定の間隔を設けて配設させている。間隔を設けることによって積層体２との共振を防止している。コンクリート壁、木製の壁、コンクリート柱、木製柱、チャンネル鋼製柱などの地面や床面に固設された柱体又は壁であればよい。支持体５は、積層体２が地震などの揺れに倒壊しやすいため、部材を積み重ねながら積層させていく積み重ね建造物ではなく、一体的に建造した建造物、又は、積み重ねた部材同士を締結手段等により固定化させた建造物であることが好ましい。これにより、支持体５は地震が発生しても極めて傾きにくいという効果を有し、積層体３を支持する建造物としての効果を有する。
【００２０】
前記支持体５が柱体やチャンネル鋼の場合には、前記支持体５は、積層体２が図１又は図２に示すような塀の形態の場合や図８や図９に示す壁の形態の場合には積層体２の積層方向と同じ方向で地面に対して立設するように建造し、積層体２が図８に示すようにアーチの形態であって逆Ｕ字形の形態の箇所には前記逆Ｕ字状の円弧状部位に沿って建造し、積層体２が図９に示すように円形の窓の形態であって円形の形態の箇所には円状の縁に沿って建造する。これにより、積層体倒壊防止具３をダボ筋６近傍に固定させかつ支持体５に固定させることができる。
【００２１】
前記支持体５が塀形態や壁形態の場合は、積層体倒壊防止具３は支持体５の任意の部位に固定化可能であるので、ダボ筋６近傍に固定させかつ支持体５に固定させることができる。
【００２２】
また、有孔積層部材４の貫通孔１６の内周面と前記ダボ筋６の外周面との隙間にはモルタル７を流入させて、ダボ筋６と有孔積層部材４とを固定化させて該有孔積層体４の結合強化を実現している。これによりダボ筋６を使用しない構造と比較して、積層体２はモルタルで結合させた箇所で離反しにくくなり倒壊しにくくなった。
【００２３】
前記積層体倒壊防止具３は、図３（ａ）〜（ｃ）に示すように、一端には前記支持体５に固設させる固設部材１１を設けた、折り曲げ可能な棒状体１０を備える。
【００２４】
前記棒状体１０の形状は、例えば、直線状、円弧状又は複数の屈曲部を有する線状の形状があげられるが、これらの形状に限定されず、支持体５、ダボ筋６、有孔積層部材４間の位置関係によって、積層体倒壊防止具３を支持体５に固設してダボ筋６を支持できる形状であればよい。前記固設部材１１と棒状体１０とは溶接などの固定化手段で固定する。また、棒状体１０は長尺状の棒状で、現場で折り曲げ可能である。前記折り曲げは現場に行く前においても可能であるが、支持体５とダボ筋６との位置関係等が現場では設計段階と変わる場合があるので現場合わせで行う方が好ましい。
【００２５】
前記固設部材１１には、図３（ｃ）に示すように穴１２を設けている形体もあり、この形体の場合は前記穴１２に木用ネジやトラスビスを挿通させてネジ部で支持体５に固設させる。
【００２６】
そして、積層体倒壊防止具３の一端側と前記支持体５との固設手段１３は、前記支持体５が木製の壁や木製柱である場合には固設手段１３として木用ネジを使用し、前記支持体５がチャンネル鋼等の鋼材である場合には固設手段１３としてトラスビスを使用し、前記支持体５がコンクリート壁やコンクリート柱である場合にはホールインアンカー挿入用孔を形成させて該孔に固設手段１３としてホールインアンカーを挿入して打ち込む。支持体５の材質に適合する固設手段１３を選択する。
【００２７】
前記積層体倒壊防止具３は、図１、図５から図７に示すように、まず、ダボ筋６の長手方向に対する垂直方向では、一端側の固設部材１１を棒状体１０がダボ筋６の近傍に位置するように、かつ有孔積層体４の積層方向では有孔積層部材４間に挟入させた状態となるように、前記支持体５に固設させる。そして、図４や図７に示すように、棒状体１０を、ダボ筋６が支持体５側でない反対側に傾くのを阻止できるように、前記ダボ筋６の支持体５側ではない側に延設されるようにほぼ９０°に略Ｌ字状になるように屈曲する。
【００２８】
前記屈曲状態にしたときに、積層体倒壊防止具３と前記ダボ筋６とは接触させても接触させなくてもよい。積層体倒壊防止具３をダボ筋６の反支持体５側に延設された状態となるようにほぼ９０°に略Ｌ字状に屈曲させると、地震が発生しダボ筋６が傾斜しかけたときに、ダボ筋６が傾斜しにくい前記支持体５に固設された前記積層体倒壊防止具３に当接することにより、ダボ筋６の傾斜が止まり積層体２の倒壊を防止できる。
【００２９】
積層体倒壊防止具３の材質は、折り曲げ可能で積層体２の倒壊防止可能な引っ張り強さを有する材料であればよく、例えば、ステンレス、防錆処理した金属、防錆処理した非金属、メッキ処理した金属、メッキ処理した非金属があげられる。これらの中でより好ましい材料としては、例えば、直径４ｍｍのＳＵＳ３０４があげられる。
【００３０】
積層体倒壊防止具３のセット方法を図５から図７により説明する。まず図５に示すように有孔積層部材４を積層する。この状態では有孔積層部材４には貫通孔１６が設けられ一つの貫通孔１６にはダボ筋６が挿通状態で設けられている。
【００３１】
次に、図６に示すように、積層体倒壊防止具３の一端側の固設部材１１を支持体５に当接し支持体５の材質に応じて木用ネジやトラスビスなどの固設手段１３を選択して支持体５に螺設する。積層体倒壊防止具３の棒状体１０は有孔積層部材４の上面に載置した状態でかつまっすぐの状態である。
【００３２】
次に、図７に示すように、積層体倒壊防止具３の棒状体１０を、ダボ筋６の反支持体５側に延設されるようにほぼ９０°に略Ｌ字状に屈曲し、他端の先端を積層体２からはみ出ないようにする。そして、モルタル７を積層体倒壊防止具３の上方から敷設して有孔積層部材４と積層体倒壊防止具３との固定化をする。これにより、積層体２は、ダボ筋６により倒壊しにくくなり、さらに前記ダボ筋６を地面や床面に固定され立設された支持体５に固設された積層体倒壊防止具３により傾斜を止めることから、極めて倒壊しにくい積層体２となる。
【符号の説明】
【００３３】
１        積層構造建造物
２        積層体
３        積層体倒壊防止具
４        有孔積層部材
５        支持体
６        ダボ筋
７        モルタル
１０      棒状体
１１      固設部材
１２      穴
１３      固設手段
１５      隙間
１６      貫通孔
【図１】
0003208740.tif 000003
【図２】
0003208740.tif 000004
【図３】
0003208740.tif 000005
【図４】
0003208740.tif 000006
【図５】
0003208740.tif 000007
【図６】
0003208740.tif 000008
【図７】
0003208740.tif 000009
【図８】
0003208740.tif 000010
【図９】
0003208740.tif 000011
【手続補正書】
【提出日】平成28年11月28日(2016.11.28)
【手続補正１】
【補正対象書類名】実用新案登録請求の範囲
【補正対象項目名】請求項２
【補正方法】変更
【補正の内容】
【請求項２】
請求項１に記載の積層体倒壊防止具が、一端側の前記固設部材を前記支持体に固設させて、前記積層体に固設される側の棒状体を、前記積層体の倒壊防止支持に必要な所定の箇所に該当する有孔積層部材間に挟入させた状態でかつ前記ダボ筋の反支持体側に延設されるように略Ｌ字状に屈曲させた状態で前記積層体に固設されることを特徴とする積層構造建造物。